(57)【要約】【課題】簡単な構造で、安定して大きな圧入強度が得られ、容易に組み立てることができる電磁リレーを提供すること。【解決手段】本発明の電磁リレーは、コイル端子２の長手方向に対して略直交する方向であって相互に略平行な方向に突出する第１、第２及び第３の突起部２３，２４及び２５を所定間隔、隔てて設け、コイルボビン１１には、第１の突起部２３が嵌まる凹部１１ａ、及び第１の突起部２３と第２の突起部２４との間の第１の空間２６に嵌まる凸部１１ｂを設け、ボディ３には、底板部３１の一方の周縁に開口すると共に底板部３１の表面側から裏面側に貫通する溝部３２を形成し、この溝部３２に第２の突起部２４と第３の突起部２５との間の第２の空間２７に嵌まる嵌合突部３２ｂを設けたことを特徴としている。【選択図】　　　　　図１
2004119034.tif 000002
【特許請求の範囲】
【請求項１】
少なくとも、コイルボビンに巻回されるコイル及び継鉄を備えた電磁石と、コイルと電気的に接続する一対のコイル端子と、電磁石を実装する略板状の底板部を備えたボディと、を有し、電磁石により駆動されて接点が接離動作を行う電磁リレーにおいて、
前記コイル端子には、その長手方向に対して略直交する方向であって相互に略平行な方向に突出する第１、第２及び第３の突起部を所定間隔、隔てて設け、前記コイルボビンには、前記第１の突起部が嵌まる凹部、及び前記第１の突起部と前記第２の突起部との間の第１の空間に嵌まる凸部を設け、前記ボディには、前記底板部の一方の周縁に開口すると共に前記底板部の表面側から裏面側に貫通する溝部を形成し、この溝部に前記第２の突起部と前記第３の突起部との間の第２の空間に嵌まる嵌合突部を設けたことを特徴とする電磁リレー。
【請求項２】
前記ボディは、その底板部の表面側に前記溝部と対向して立設される継鉄当接壁と、この継鉄当接壁から前記溝部の方向に延設される一対のガイド壁と、各ガイド壁からボディの内方側に突出し、前記溝部に臨む側面に傾斜面が設けられた一対の挟持突部と、を形成したものである請求項１記載の電磁リレー。
【発明の詳細な説明】
【０００１】
【発明の属する技術分野】
本発明は、電磁石への通電に応じて接点を動作させる電磁リレーに関する。
【０００２】
【従来の技術】
従来、この種の電磁リレーとして、例えば図４及び図５に示すようなものがある（例えば、特許文献１参照。）。なお、図４は、コイルボビンの断面図、図５（ａ）乃至（ｃ）は、端子の圧入過程を説明するための断面図である。
【０００３】
まず、コイル端子１２０，１２０の保持構造について説明する。図４に示すように、コイルボビン１１９の両端の鍔部１１９ａにはそれぞれ凹状の圧入部１１９ｂが設けられ、圧入部１１９ｂの底部の略中央には圧入部１１９ｂの開口側に突出する突起部１１９ｃが形成されている。コイル端子１２０は、導電性を有する板材により、一端側にプリント基板に半田付けされる端子片１２０ｃが形成され、他端側に保持部１２０ａが形成されている。この保持部１２０ａは一対の脚片１２０ｄを有する略Ｕ字状に形成され、各脚片１２０ｄの外側端面には、圧入方向に傾斜したテーパが形成された爪部１２０ｂが突設されている。また、両脚片１２０ｄの先端は、圧入部１１９ｂの内面側及び突起部１１９ｃ側に丸みを帯びた形状に形成されている。
【０００４】
次に、コイル端子１２０を圧入部１１９ｂに圧入する過程を、図５を参照して説明する。コイル端子１２０を一対の脚片１２０ｄの方から圧入部１１９ｂに挿入していくと、両脚片１２０ｄの先端が丸みを帯びているため、圧入部１１９ｂの開口端縁に押されて、図５（ａ）に示すように、圧入方向と略直交する方向であって保持部１２０ａの中心軸側に両脚片１２０ｄが撓みながら挿入される。さらに圧入すると、両脚片１２０ｄに形成される爪部１２０ｂのテーパが圧入部１１９ｂの開口端縁に当接してガイドされることによって、両脚片１２０ｄは、さらに同じ向きに撓みながら挿入される。そして爪部１２０ｂが圧入部の内面に接するまで圧入されると、図５（ｂ）に示すように、突起部１１９ｃが両脚片１２０ｄの間に挿入され、両脚片１２０ｄの撓みが規制される。ここで、両脚片１２０ｄの先端は丸みを帯びているため、突起部１１９ｃは両脚片１２０ｄの間に引っ掛かりなく容易に挿入される。したがって、爪部１２０ｂは対向する圧入部１１９ｂの内面に徐々に食い込み、圧入強度を大きくし、図５（ｃ）に示すようにコイル端子１２０を圧入固定することができる。
【０００５】
また、従来の電磁リレーとして、例えば図６乃至図８に示すようなものもある。なお、図６は、電磁石ブロック１及びコイル端子２の側面断面図、図７及び図８は、それぞれボディ３の上面図及び側面図を示し、接点端子及び接点等の図示を省略している。
【０００６】
電磁石ブロック１は、コイルボビン１１と、コイルボビン１１に巻回されるコイル１２と、大略Ｌ字状をなす継鉄１３と、電磁力によって駆動される接極子１４と、接極子１４をばね付勢するヒンジばね１５と、を有して構成されている。そして、コイルボビン１１には、図６に斜線で示すように、後述するコイル端子２の第１の突起部２３が嵌まる凹部１１ａが形成されている。
【０００７】
コイル端子２は、コイル端子本体２１と、このコイル端子本体２１の一端からコイル端子本体２１の長手方向に対して略直交する方向であってコイルボビン１１と反対側に突出するコイル接続部２２と、このコイル接続部２２とほぼ反対側に突出する第１の突起部２３と、が設けられている。そして、コイル端子２は、第１の突起部２３が凹部１１ａに圧入されてコイルボビン１１に保持されるのである。
【０００８】
ボディ３は、電磁石ブロック１を保持する電磁石ブロック保持部３Ａと、図示を省略している接点端子等を保持する接点端子保持部３Ｂと、を有して構成されている。電磁石ブロック保持部３Ａは、電磁石ブロック１を実装する略板状の底板部３１と、この底板部３１の表面側から裏面側に貫通する溝部３２，３２と、底板部３１の表面側に立設される継鉄当接壁３３，３３と、この継鉄当接壁３３から溝部３２，３２の方向に延設される一対のガイド壁３４，３４と、各ガイド壁からボディの内方側に突出する一対の挟持突部３５，３５と、電磁石ブロック１を底面側から、シール剤にて固定するためのシール穴３６と、が設けられている。端子保持部３Ｂには、接点端子（図１０参照）が挿着される端子挿着部３７，３７，３８，３８，３９，３９が設けられている。
【０００９】
次に、この電磁リレーを組み立てる工程を、図９乃至図１２に沿って説明する。まず、図９に矢印で示すように、接点端子（ＮＣ端子４１、ＣＯＭ端子４２、ＮＯ端子４３、いずれも図１０参照）を同図の上側から同図上側の端子挿着部３７，３８，３９にそれぞれ挿入すると共に、もう１組の接点端子を同図の下側から同図下側の端子挿着部３７，３８，３９にそれぞれ挿入する。次いで、あらかじめコイル端子２，２を保持させた電磁石ブロック１（図６参照）を、図１０に矢印で示すように、同図の上側から、継鉄１３が継鉄当接壁３３，３３と挟持突部３５，３５（いずれも図９参照）との間に挟持されるようにして、電磁石ブロック保持部３Ａに挿着する。なお、同図において、４１，４３はそれぞれＮＣ端子、ＮＯ端子であり、ＮＣ接点４１ａ、ＮＯ接点４３ａがそれぞれ固着されている。また、４２はＣＯＭ端子であり、ＣＯＭ接点４２ａが固着されたＣＯＭ接点ばね４２ｂが接続されている。そして、図１１に矢印で示す方向から、端子挿着部３７，３７，３８，３８，３９，３９に端子シール剤を塗布し、図１２に示すように、電磁リレーを上下反転させて、同図に矢印で示す方向、すなわち底面側から電磁石ブロックシール剤を塗布した後、加熱して各シール剤を硬化するのである。
【００１０】
【特許文献１】
特開２００１−１４９９２号公報（第４頁、第１図、第２図）
【００１１】
【発明が解決しようとする課題】
ところで、図４及び図５に示す、電磁リレーによれば、保持部１２０ａの撓みによって圧入強度が安定化し、また、爪部１２０ｂが圧入部１１９ｂ内に在るときに保持部１２０ａの撓みを規制するため、圧入強度を大きくすることができるようになっているものの、コイル端子１２０の構造がやや複雑である。
【００１２】
一方、図６乃至図８に示す、電磁リレーによれば、コイル端子２の構造が比較的簡単であるが、圧入強度が小さい。また、この電磁リレーを組み立てる際、電磁リレーの側面側から接点端子を接点端子保持部３Ｂに挿着し、電磁リレーの上面側から電磁石ブロック１を電磁石ブロック保持部３Ａに挿着した後、電磁リレーの側面側から端子シール剤を塗布し、電磁リレーの底面側、すなわち図１２における上方側から電磁石ブロックシール剤を塗布するので、製造ラインに対して電磁リレーの向きを適宜変更する必要があり、組立工数が多い、という問題点があった。
【００１３】
本発明は、上記事由に鑑みてなしたもので、その目的とするところは、簡単な構造で、安定して大きな圧入強度が得られ、容易に組み立てることができる電磁リレーを提供することにある。
【００１４】
【課題を解決するための手段】
請求項１に係る発明の電磁リレーは、少なくとも、コイルボビンに巻回されるコイル及び継鉄を備えた電磁石と、コイルと電気的に接続する一対のコイル端子と、電磁石を実装する略板状の底板部を備えたボディと、を有し、電磁石により駆動されて接点が接離動作を行う電磁リレーにおいて、前記コイル端子には、その長手方向に対して略直交する方向であって相互に略平行な方向に突出する第１、第２及び第３の突起部を所定間隔、隔てて設け、前記コイルボビンには、前記第１の突起部が嵌まる凹部、及び前記第１の突起部と前記第２の突起部との間の第１の空間に嵌まる凸部を設け、前記ボディには、前記底板部の一方の周縁に開口すると共に前記底板部の表面側から裏面側に貫通する溝部を形成し、この溝部に前記第２の突起部と前記第３の突起部との間の第２の空間に嵌まる嵌合突部を設けたことを特徴としている。
【００１５】
請求項２に係る発明の電磁リレーは、請求項１の構成において、前記ボディは、その底板部の表面側に前記溝部と対向して立設される継鉄当接壁と、この継鉄当接壁から前記溝部の方向に延設される一対のガイド壁と、各ガイド壁からボディの内方側に突出し、前記溝部に臨む側面に傾斜面が設けられた一対の挟持突部と、を形成したものとしている。
【００１６】
【発明の実施の形態】
以下、本発明の実施の形態について、図面を参照して詳細に説明する。なお、本実施形態の基本的な構成は従来の技術において説明したもの（図６乃至図８に示したもの）と同様であり、基本的機能が実質的に同様の部分には同一の符号を付している。
【００１７】
図１乃至図３は、本発明に係る電磁リレーの実施の形態を示す図であり、図１は、電磁石ブロック１及びコイル端子２の側面断面図、図２及び図３は、それぞれボディ３の上面図及び側面図である。そして、この電磁リレーは、以下のように構成してある。
【００１８】
電磁石ブロック１は、コイルボビン１１と、コイルボビン１１に巻回されるコイル１２と、大略Ｌ字状をなす継鉄１３と、電磁力によって駆動される接極子１４と、接極子１４をばね付勢するヒンジばね１５と、を有している。そして、コイルボビン１１には、図１に斜線で示すように、後述するコイル端子２の第１の突起部２３が嵌まる凹部１１ａを形成すると共に、凸部１１ｂが後述するコイル端子２の第１の空間２６に嵌まるように構成している。
【００１９】
コイル端子２は、コイル端子本体２１と、このコイル端子本体２１の一端からコイル端子本体２１の長手方向に対して略直交する方向であってコイルボビン１１と反対側に突出するコイル接続部２２と、このコイル接続部２２とほぼ反対側に、コイル端子本体２１の長手方向に対して略直交する方向であって相互に略平行な方向に突出する第１、第２及び第３の突起部２３，２４及び２５を所定間隔、隔てて設け、第１の突起部２３と第２の突起部２４との間に第１の空間２６を、第２の突起部２４と第３の突起部２５との間に第２の空間２７を形成している。そして、コイルボビン１１の凸部１１ｂが、第１の空間２６に嵌まり、また、後述するボディ３の溝部３２に設けた嵌合突部３２ｂが第２の空間２７に嵌まって、コイル端子２を保持した電磁石ブロック１が後述するボディ３に位置決め保持されるようにしてある。
【００２０】
ボディ３は、電磁石ブロック１を保持する電磁石ブロック保持部３Ａと、図示を省略している接点端子等を保持する接点端子保持部３Ｂと、を有して構成してある。
【００２１】
電磁石ブロック保持部３Ａには、コイル端子２，２を挿通する溝部３２，３２を、コイル端子２，２を保持した電磁石ブロック１が、図２に矢印で示す方向、すなわち第１乃至第３の突起部２３乃至２５と略平行な方向から挿着され得るよう同図の右側に開口部３２ａ，３２ａを有して形成してある。そして、この溝部３２，３２に第２の突起部２４と第３の突起部２５との間の第２の空間２７に嵌まる嵌合突部３２ｂを設けてある。さらに、電磁石ブロック保持部３Ａには、底板部３１の表面側に溝部３２，３２と対向して立設される継鉄当接壁３３，３３と、この継鉄当接壁３３，３３から溝部３２，３２の方向に延設される一対のガイド壁３４，３４と、各ガイド壁からボディ３の内方側に突出し、溝部３２に臨む側面に傾斜面３５ａが設けられた一対の挟持突部３５，３５と、を形成してある。また、電磁石ブロック保持部３Ａには、電磁石ブロック１を固着するためのシール剤を注入するためのシール穴３６を設けてある。端子保持部３Ｂには、図示を省略している接点端子が挿着される端子挿着部３７，３７，３８，３８，３９，３９を設けてある。
【００２２】
かくして、上記構成による電磁リレーは、以下のようにして組み立てるのである。まず、図１に示すように、電磁石ブロック１の右側、すなわち凹部１１ａの開口側から、第１の突起部２３を凹部１１ａに嵌め込むと同時に凸部１１ｂを第１の空間２６に嵌め込んで、一対のコイル端子２，２を電磁石ブロック１にそれぞれ保持させる。次いで、溝部３２，３２、シール穴３６、及び端子挿着部３７，３７，３８，３８，３９，３９に、シール剤を塗布する。そして、接点端子（ＮＣ端子４１、ＣＯＭ端子４２、ＮＯ端子４３、いずれも図１０参照）を図２の上側から同図上側の端子挿着部３７，３８，３９にそれぞれ挿入すると共に、もう１組の接点端子を同図の下側から同図下側の端子挿着部３７，３８，３９にそれぞれ挿入する。さらに、あらかじめコイル端子２，２を保持させた電磁石ブロック１（図１参照）を、図２に矢印で示すように、同図の右側、すなわち溝部３２，３２の開口部３２ａ，３２ａ側から、コイル端子２，２を溝部３２，３２に挿入しつつ、継鉄１３が傾斜面３５ａ，３５ａを乗り越えて挟持突部３５，３５と継鉄当接壁３３，３３との間に収納されるところまで押し込むようにして、電磁石ブロック保持部３Ａに挿着する。その後、加熱してシール剤を硬化するのである。
【００２３】
したがって、上記構成によれば、コイル端子２は、第１の突起部２３が凹部１１ａに圧入されると共に、凸部１１ｂが第１の空間２６に圧入され、さらに、第２の突起部２４が凸部１１ｂと嵌合突部３２ｂとの間に挟持されると共に、嵌合突部３２ｂが第２の空間２７に圧入されるので、安定して大きな圧入強度が得られるものとなる。
【００２４】
また、一対のコイル端子２，２の第２の空間２７，２７に、嵌合突部３２ｂ，３２ｂがそれぞれ嵌合して電磁石ブロック１がボディ３に固着されるので、電磁石ブロック１をボディ３に取り付ける際の位置決めが容易になると共に、その取り付け位置が規制されて、電磁石ブロック１とボディ３との間の位置決めの精度が高められるため、取付位置のばらつきが低減させられるものとなる。
【００２５】
また、溝部３２，３２、シール穴３６、及び端子挿着部３７，３７，３８，３８，３９，３９に、あらかじめシール剤を塗布しておいて、電磁リレーの側面側から接点端子４１，４２，４３，４１，４２，４３及び電磁石ブロック１を挿着した後、加熱してシール剤を硬化することができるので、各組立工程において、電磁リレーの向きを変える必要がないものとなる。そのため、電磁リレーを組み立てるための工程数が減少させられるものとなり、以って、容易に組み立てられ得るものとなる。
【００２６】
【発明の効果】
請求項１に係る発明の電磁リレーの端子保持構造は、コイル端子には、その長手方向に対して略直交する方向であって相互に略平行な方向に突出する第１、第２及び第３の突起部を所定間隔、隔てて設け、コイルボビンには、第１の突起部が嵌まる凹部、及び第１の突起部と第２の突起部との間の第１の空間に嵌まる凸部を設け、ボディには、底板部の一方の周縁に開口すると共に底板部の表面側から裏面側に貫通する溝部を形成し、この溝部に前記第２の突起部と前記第３の突起部との間の第２の空間に嵌まる嵌合突部を設けたことを特徴としているので、安定して大きな圧入強度が得られるものとなり、さらに電磁石ブロックをボディに取り付ける際の位置決めが容易になると共に、その取り付け位置が規制されて、電磁石ブロックとボディとの間の位置決めの精度が高められるため、取付位置のばらつきが低減させられるものとなる。
【００２７】
請求項２に係る発明の電磁リレーは、請求項１の構成において、ボディは、その底板部の表面側に溝部と対向して立設される継鉄当接壁と、この継鉄当接壁から溝部の方向に延設される一対のガイド壁と、各ガイド壁からボディの内方側に突出し、溝部に臨む側面に傾斜面が設けられた一対の挟持突部と、を形成してあるので、電磁リレーの側面側から電磁石ブロックを挿着することができるものとなり、各組立工程において、電磁リレーの向きを変える必要がないものとなる。その結果、電磁リレーを組み立てるための工程数が減少させられるものとなり、以って、容易に組み立てられ得るものとなる。
【図面の簡単な説明】
【図１】本発明に係る電磁リレーを構成する電磁石ブロック及びコイル端子の実施の形態を示す側面断面図である。
【図２】同上の実施の形態に係るボディの上面図である。
【図３】同上のボディの側面図である。
【図４】従来の電磁リレーを示す断面図である。
【図５】同上における端子の圧入過程を説明するための断面図である。
【図６】別の従来の電磁リレーを構成する電磁石ブロック及びコイル端子を示す側面断面図である。
【図７】同上の電磁リレーを構成するボディの上面図である。
【図８】同上のボディの側面図である。
【図９】同上の電磁リレーを組み立てる工程を説明するための、ボディの上面図である。
【図１０】同じく、電磁石ブロックを挿着した後の状態を示す側面図である。
【図１１】同上の上面図である。
【図１２】同じく、電磁石ブロックシール剤を塗布するときの状態を示す側面図である。
【符号の説明】
１　　　　　　　　　　電磁石（電磁石ブロック）
１１　　　　　　　　コイルボビン
１１ａ　　　　　　凹部
１１ｂ　　　　　　凸部
１２　　　　　　　　コイル
１３　　　　　　　　継鉄
２　　　　　　　　　　コイル端子
２３　　　　　　　　第１の突起部
２４　　　　　　　　第２の突起部
２５　　　　　　　　第３の突起部
２６　　　　　　　　第１の空間
２７　　　　　　　　第２の空間
３　　　　　　　　　　ボディ
３１　　　　　　　　底板部
３２　　　　　　　　溝部
３２ａ　　　　　　開口部
３２ｂ　　　　　　嵌合突部
３３　　　　　　　　継鉄当接壁
３４　　　　　　　　ガイド壁
３５　　　　　　　　挟持突部
３５ａ　　　　　　傾斜面
【図１】
2004119034.tif 000003
【図２】
2004119034.tif 000004
【図３】
2004119034.tif 000005
【図４】
2004119034.tif 000006
【図５】
2004119034.tif 000007
【図６】
2004119034.tif 000008
【図７】
2004119034.tif 000009
【図８】
2004119034.tif 000010
【図９】
2004119034.tif 000011
【図１０】
2004119034.tif 000012
【図１１】
2004119034.tif 000013
【図１２】
2004119034.tif 000014